(57)【要約】【課題】簡単な構成で、天井の取付穴への取り付けを容易且つ確実なものとすることができるダウンライト器具とその取付方法を提供する。【解決手段】筒状の筐体１２と、開口部分に設けられた鍔部１６と、一部が筐体１２に収納可能な係止片１４とを有した器具本体４０から成る。中央付近に筐体１２が挿通される透孔４２を有した取付補助部材４４を備える。透孔４２の形状は、係止片１４が筐体１２に収納されたときの係止片１４の突出部を含む筐体１２の外形よりも大きく、かつ器具本体１０の鍔部１６の外形より小さい。取付補助部材４４の外周形状は、天井材２６の取付穴２８の形状より大きい。取付穴２８に挿入された器具本体１０は、取付補助部材４４を介して鍔部１６によって取付穴２６入口側に係止されるとともに、係止片１４によって取付穴２６の裏面側に係止される。【選択図】図１
2009093836.tif 000002
【特許請求の範囲】
【請求項１】
筒状の筐体と、その開口部分に設けられた鍔部と、一部が前記筐体に収納可能な係止片とを有した器具本体から成る天井埋込型のダウンライト器具において、
中央付近に前記筐体が挿通される透孔を有した取付補助部材を備え、その透孔の形状は、前記係止片が前記筐体に収納されたときの前記係止片の突出部を含む前記筐体の外形よりも大きく、かつ前記器具本体の鍔部外形より小さく形成され、前記取付補助部材の外周形状は天井材の取付穴の形状より大きく形成され、前記取付穴に挿入された前記器具本体が、前記取付補助部材を介して前記鍔部によって前記取付穴入口側に係止されるとともに、前記係止片によって前記取付穴の裏面側に係止され、前記鍔部と前記係止片が前記天井材を挟持して前記器具本体が前記取付穴に固定されることを特徴とするダウンライト器具。
【請求項２】
前記鍔部及び前記鍔部と前記天井材との境界部分を覆い隠す化粧枠部材を備えた請求項１記載のダウンライト器具。
【請求項３】
前記化粧枠部材は、照射光を前方へ反射する反射板の開口外周縁部分に一体に形成されている請求項２記載のダウンライト器具。
【請求項４】
筒状の筐体と、その開口部分に設けられた鍔部と、一部が前記筐体に収納可能な係止片とを有した器具本体から成る天井埋込型のダウンライト器具の取付方法において、
天井材に形成された取付穴を、前記筐体に収納された時の前記係止片の突出部を含む前記筐体の外形よりもゆとりを有して大きく形成し、中央付近に前記筐体が挿通される透孔を有した取付補助部材を、前記筐体に嵌合して前記鍔部に係合させ、前記透孔の形状は、前記係止片が前記筐体に収納されたときの前記係止片の突出部を含む前記筐体の外形よりも大きく、かつ前記器具本体の鍔部外形より小さく形成され、前記取付補助部材の外周形状は天井材の前記取付穴の形状より大きく形成され、前記器具本体を、前記取付穴に挿入し、前記取付補助部材によって前記取付穴入口側に係止するとともに、前記係止片によって前記天井取付穴の裏面側に係止し、前記取付補助部材と前記係止片が前記天井材を挟持する力によって前記器具本体を前記取付穴に固定することを特徴とするダウンライト器具の取付方法。
【発明の詳細な説明】
【技術分野】
【０００１】
この発明は、天井埋込型のダウンライト器具と、ダウンライト器具を天井取付穴に設置する取付方法に関する。
【背景技術】
【０００２】
一般的に市販されている天井埋込型のダウンライト器具の構造および天井取付穴に設置する方法を、図３を基に説明する。ダウンライト器具の器具本体１０は、円筒状の筐体１２と、筐体１２の開口部分を周回して形成された鍔部１６と、側面に突設された係止片１４と、開口部中央に設けられたソケット１８とを備えている。ソケット１８は、化粧枠部分２２が形成された反射板２０中央部の図示しない透孔に挿入され、電球２４が装着され、器具本体１０が一体に構成されている。また、筐体１２側面の係止片１４は、筐体１２の天板方向または開口部方向である図面上の上下方向に摺動可能であり、さらに、外側に突出するよう広げた状態、又は筐体１２の側面の収納孔１２ａ内に収納されるよう内側に閉じた状態に可動する構造を有している。
【０００３】
次に、器具本体１０を天井材２６の取付穴２８に設置する方法について図３〜図５を基に説明する。天井材２６には取付穴２８を設け、器具本体１０は筐体１２の天板側から取付穴２８に挿入する。そして、図５（ａ）に示すように係止片１４を、あらかじめ筐体１２の天板側に寄せ、かつ収納孔１２ａに収納した状態に設定しておき、その状態で取付穴２８に挿入する。一方、鍔部１６の外形は取付穴２８よりも大きく形成されているため、筐体１２が取付穴２８を通過すると、器具本体１０は、鍔部１６によって取付穴２８の入口側に係止される。次に、係止片１４を、図５（ｂ）に示すように筐体１２の外側に突出するように最大限度まで開き、さらに筐体１２の開口部側に寄せ、図５（ｃ）に示すように取付穴２８の裏面側に圧接状態で固定する。これにより、天井材２６は係止片１４先端部と鍔部１６により狭持され、器具本体１０が天井材２６に固定される。
【０００４】
さらに、反射板２０を図示しない係止部材により天井材２６に固定する。反射板２０の開口周回部分に一体に形成された化粧枠部分２２は、筐体１２が有する鍔部１６及び鍔部１６と天井材２６との境界部分を覆い隠すように形成されており、装飾的な役割を果たす。
【０００５】
ここで、図４に示すように、筐体１２の取付時及び取付後の状態においては、以下の不等式（１）の寸法的関係が成立する。図４の左側半分は器具本体１０が天井材２６に固定された状態、右半分は筐体１２を取付穴２８に挿入したときの状態を示し、このときの取付穴２８の中心から距離について、取付穴内径をｒ０、収納孔１２ａに収納されている係止片１４の突出部分の最大値をｒ１、筐体１２に設けた鍔部１６の外径をｒ２、化粧枠部分２２の外周壁２２ａの内径をｒ３とすると、
ｒ１＜ｒ０＜ｒ２＜ｒ３          （１）
の関係を有し、鍔部１６の外径ｒ２と外周壁２２ａの内径ｒ３の間にはある程度の差が遊びとして設けられていた。
【０００６】
このような構造であるため、通常の設置作業としては、器具本体１０を取付穴２８に押し込んで係止片１４の位置角度を操作調整するだけの簡単な作業ですむ。
【０００７】
また、特許文献１に開示されているように、既設のダウンライト器具の取付穴に、外径の異なるダウンライト器具を設置するために、器具本体を所定の取付補助部材を介して取付穴に固定する構造も提案されている。
【特許文献１】特開平２００４−２０７１９１号公報
【発明の開示】
【発明が解決しようとする課題】
【０００８】
しかし、図３〜図５に述べたような一般的に市販されているダウンライト器具にあっては、上記寸法的関係における差は微小であり（例えば市販の小型非常用照明器具においては、ｒ１＝５２ｍｍ、ｒ２＝５５ｍｍ）、係止片１４が収納孔１２ａに収納された状態であっても、例えばストッパの働きを有するツメ部１４ａの厚み分が筐体１２の側面から突出している場合がある。このような場合、係止片１４の突出部分の最大値ｒ１と鍔部１６の外径ｒ２の差が小さくなってしまい、取付穴２８の内径ｒ０の最適な設定が困難な場合があった。すなわち、取付穴２８の内径ｒ０を小さくすると、ｒ１＜ｒ０の範囲内であっても、器具本体１０の設置作業時に、作業者の取り扱いによっては、係止片１４が取付穴２８の内周面付近を破損させたり、あるいは、係止片１４自体が変形、破損等する場合があった。特に、天井材の取付穴付近が破損すると、ダウンライト器具をしっかり狭持、固定をすることができず、天井材の張り替えが必要となる場合もあった。
【０００９】
また、逆に、筐体１２及び係止片１４がスムーズに挿入できるように取付穴２８の内径ｒ０を大きくすると、上記ｒ０＜ｒ２の関係を満たせず、鍔部１６が取付穴２８を通過してしまい、器具本体１０を天井材２６に固定することができないという問題があった。
【００１０】
一方、この問題を回避するために、取付穴内径ｒ０に比べて鍔部外径ｒ２が十分大きなダウンライト器具を選定する等の方法が考えられるが、一般的に市販されているダウンライト器具においては、鍔部１６等は小さくして目立たなくしたいものであり、鍔部１６が比較的大きな形状の製品自体がなく、選択の余地がない。また、特別注文によって専用のダウンライト器具を製作する方法も考えられるが、コストおよび納期の面で支障をきたすこととなり、抜本的な解決策とはならなかった。
【００１１】
また、特許文献１に開示された方法にあっては、天井取付金具を天井取付穴の裏側に乗せ置き、天井取付枠の取付バネを内側に押し曲げながら天井取付金具の角穴に挿入して組み付け、さらに器具本体を埋込穴に挿入して固定する、という多くの作業を要し、前述した一般的な構造のダウンライト器具に比べ、設置時の作業能率が非常に悪いものであった。
【００１２】
この発明は上記背景技術に鑑み点されたもので、簡単な構成で、天井の取付穴への取り付けを容易且つ確実なものとすることができるダウンライト器具とその取付方法を提供することを目的とする。
【課題を解決するための手段】
【００１３】
この発明は、筒状の筐体と、その開口部分に設けられた鍔部と、一部が前記筐体に収納可能な係止片とを有した器具本体から成る天井埋込型のダウンライト器具であって、中央付近に前記筐体が挿通される透孔を有した取付補助部材を備え、その透孔の形状は、前記係止片が前記筐体に収納されたときの前記係止片の突出部を含む前記筐体の外形よりも大きく、かつ前記器具本体の鍔部外形より小さく形成され、前記取付補助部材の外周形状は天井材の取付穴の形状より大きく形成され、前記取付穴に挿入された前記器具本体が、前記取付補助部材を介して前記鍔部によって前記取付穴入口側に係止されるとともに、前記係止片によって前記取付穴の裏面側に係止され、前記鍔部と前記係止片が前記天井材を挟持して前記器具本体が前記取付穴に固定されるダウンライト器具である。
【００１４】
前記鍔部及び前記鍔部と前記天井材との境界部分を覆い隠す化粧枠部材をダウンライト器具である。前記化粧枠部材は、照射光を前方へ反射する反射板の開口外周縁部分に一体に形成されている。
【００１５】
またこの発明は、筒状の筐体と、その開口部分に設けられた鍔部と、一部が前記筐体に収納可能な係止片とを有した器具本体から成る天井埋込型のダウンライト器具の取付方法であって、天井材に形成された取付穴を、前記筐体に収納された時の前記係止片の突出部を含む前記筐体の外形よりもゆとりを有して大きく形成し、中央付近に前記筐体が挿通される透孔を有した取付補助部材を、前記筐体に嵌合して前記鍔部に係合させ、前記透孔の形状は、前記係止片が前記筐体に収納されたときの前記係止片の突出部を含む前記筐体の外形よりも大きく、かつ前記器具本体の鍔部外形より小さく形成され、前記取付補助部材の外周形状は天井材の前記取付穴の形状より大きく形成され、前記器具本体を、前記取付穴に挿入し、前記取付補助部材によって前記取付穴入口側に係止するとともに、前記係止片によって前記天井取付穴の裏面側に係止し、前記取付補助部材と前記係止片が前記天井材を挟持する力によって前記器具本体を前記取付穴に固定するダウンライト器具の取付方法である。
【発明の効果】
【００１６】
この発明のダウンライト器具の取付補助部材及び取付方法によれば、天井の取付穴を器具本体に対して余裕のある大きさとすることができ、器具本体を天井の取付穴にゆとりをもって挿入することができるので、天井材や器具本体の係止片を破損することがない。また、予め取付補助部材を天井穴の裏側に取り付けておき、器具本体を天井の取付穴に挿入して、係止片の位置角度を操作調整するだけの簡単な作業で確実に固定でき、能率良く設置作業を行うことができる。
【発明を実施するための最良の形態】
【００１７】
以下、この発明のダウンライト器具とその取付方法の一実施形態について、図１、図２を基にして説明する。ここで、上記背景技術と同様の部材は同一の符号を付して説明する。この実施形態のダウンライト器具の器具本体４０は、円筒状の筐体１２と、筐体１２の開口部分を周回して形成された鍔部１６と、側面に突設された係止片１４と、開口部中央に設けられたソケット１８とを備えている。ソケット１８は、化粧枠部分２２が形成された反射板２０中央部の図示しない透孔に挿入され、電球２４が装着され、器具本体４０が一体に構成されている。化粧枠部分２２の外周壁２２ａは、その深さが、鍔部１６の厚みと後述する取付補助部材４４の厚みの合計またはやや薄い程度に形成されている。また、筐体１２側面の係止片１４は、筐体１２の天板方向または開口部方向である図面上の上下方向に摺動可能であり、さらに、外側に突出するように広げた状態又は筐体１２側面の収納孔１２ａ内に収納されるように内側に閉じた状態に可動する構造を有している。
【００１８】
さらに、筐体１２には、中央付近に透孔４２を有した板状の取付補助部材４４が嵌合され、鍔部１６上に係止されている。取付補助部材４４は、円環状に形成され、透孔４２の形状は、係止片１４が収納されたときの突出部を含めた筐体１２の外形より大きく、かつ鍔部１６の外形より小さい。さらに、取付補助部材４４の外周形状は、天井の取付穴２８の形状より大きく形成されている。
【００１９】
次に、ダウンライト器具を取付穴２８に設置する取付方法について説明する。取付穴２８は、鍔部１６外形よりも小さく、かつ筐体１２に収納されたときの係止片１４の突出部を含めた筐体１２の外形よりもゆとりを有して大きく形成する。そして、上記のようにあらかじめ取付補助部材４４が装着された器具本体４０を、筐体１２の天板側から取付穴２８に挿入する。なお、その際の係止片１４の操作調整の方法は、先に図５を用いて説明した背景技術の通りである。
【００２０】
このとき、取付補助部材４４の外形は取付穴２８よりも大きく形成されているため、筐体１２が取付穴２８を通過すると、器具本体４０は、鍔部１６が取付補助部材４４に当接し、取付補助部材４４が取付穴２８の表面側の周囲に当接して係止される。さらに、係止片１４を広げて天井材２６の裏面側に下げ、取付穴２８の裏面側に圧接させて固定する。これにより、天井材２６は係止片１４先端部と取付補助部材４４により狭持され、器具本体４０が天井材２６に固定される。さらに、反射板２０をソケット１８に嵌合して、図示しない係止部材により器具本体４０に対して固定する。反射板２０の開口周回部分に一体に形成された化粧枠部分２２は、取付補助部材４４及び取付補助部材４４と天井材２６との境界部分を覆い隠すように形成されており、装飾的な役割を果たしている。
【００２１】
ここで、図２に示すように、この実施形態の筐体１２の取付時及び取付後の状態においては、以下の不等式（２）、（３）に示す寸法的関係を満たしていればよい。図２の左側半分は器具本体４０が天井材２６に固定された状態、右半分は筐体１２を取付穴２８に挿入したときの状態を示す。このときの取付穴２８の中心から距離について、取付穴内径をｒ０、収納孔１２ａに収納されている係止片の突出部分の最大値をｒ１、筐体１２に設けた鍔部１６の外径をｒ２、化粧枠部分２２の外周壁２２ａの内径をｒ３、さらに、取付補助部材４４の内径をｒａ、同じく外径をｒｂとする。そして、この時の器具本体４０の各部材は、鍔部１６の外径ｒ２と外周壁２２ａの内径ｒ３の間にある遊びを利用して、
ｒ１＜ｒａ＜ｒ２＜ｒｂ＜ｒ３          （２）
ｒ１＜ｒａ＜ｒ０＜ｒｂ＜ｒ３          （３）
を満たす関係を有していればよい。
【００２２】
よって、係止片１４がゆとりを持って取付穴２８を通過するよう内径ｒ０を大きく設定することができ、挿入作業時に天井材等を破損させることを防止するとともに、合わせて上記式を満たす範囲内で取付補助部材４４の外径ｒｂを大きくすることにより、取付補助部材４４が取付穴２８を通過することなく、器具本体４０を天井材２６に固定することができる。また、取付補助部材４４は、天井への設置作業の前にあらかじめ筐体１２に装着してあるので、器具本体４０は、天井の取付穴２８に挿入して係止片１４の位置角度を操作調整するだけの簡単な作業で固定でき、能率よく設置することが可能である。
【００２３】
また、取付補助部材４４はダウンライト器具の付属部品であり、例えば、形状の異なるものをオプションとして準備することはコスト的、納期的にも十分可能である。したがって、施工現場の天井材の材質や厚み等の態様ごとに、取付穴の内径ｒ０と取付補助部材４４の最適な組み合わせを適宜設定すればよい。
【００２４】
なお、本発明の取付補助部材及び取付方法は、上記実施形態に示すように化粧枠部分２２が反射板２０に一体に設けられたものではなく、反射板と別個に化粧枠部材が設けられたダウンライト器具において、その化粧枠部材に取付補助部材４４及び取付補助部材４４と天井材２６との境界部分が覆い隠されるように形成されるものであってもよい。
【００２５】
また、器具本体の筒状筐体は円筒形に限定するものではなく、例えば多角形の断面を有する柱状の形態でもよく、前述の式（２）、（３）の関係を満たす取付補助部材及び取付方法であればよい。
【００２６】
さらに、取付補助部材４４の材質は金属板や合成樹脂が適しているが、係止片１４等によって発生する狭持力に耐え、かつ、設置後に器具本体の重量を保持・固定し続けることができる強度を有していれば、材質や厚み寸法等は特に問わない。
【図面の簡単な説明】
【００２７】
【図１】この発明の一実施形態の取付補助部材とダウンライト器具を示す分解斜視図である。
【図２】この実施形態の発明のダウンライト器具の取付方法を示す断面図である。
【図３】従来のダウンライト器具を示す分解斜視図である。
【図４】従来のダウンライト器具の取付方法を示す断面図である。
【図５】一般的なダウンライト器具の係止片の操作調整方法を示す断面図である。
【符号の説明】
【００２８】
１０，４０  器具本体
１２  筐体
１２ａ  収納孔
１４  係止片
１４ａ  ツメ部
１６  鍔部
１８  ソケット
２０  反射板
２２  化粧枠部分
２４  電球
２６  天井材
２８  取付穴
４２  透孔
４４  取付補助部材
【図１】
2009093836.tif 000003
【図２】
2009093836.tif 000004
【図３】
2009093836.tif 000005
【図４】
2009093836.tif 000006
【図５】
2009093836.tif 000007